(57)【要約】【課題】  低周波矩形波点灯方式の高圧放電灯点灯装置において、点灯初期にランプ温度および光量を早く上昇させること。【解決手段】  フルブリッジ回路３は、低周波矩形波点灯方式で高圧放電灯５にランプ電流を供給するとともに、高圧放電灯に流れるランプ電流の向きを切り換える。そして、制御部８は、フルブリッジ回路３を制御し、高圧放電灯５のブレークダウン後のウォームアップ制御期間では、第１の周期でランプ電流の向きを切り換えさせ、供給電力減少制御期間および定格電力制御期間では、第１の周期より短い第２の周期でランプ電流の向きを切り換えさせる。【選択図】  図１
2006156168.tif 000002
【特許請求の範囲】
【請求項１】
低周波矩形波点灯方式で高圧放電灯にランプ電流を供給するとともに、高圧放電灯に流れるランプ電流の向きを切り換えるランプ電流供給手段と、
上記ランプ電流供給手段を制御し、上記高圧放電灯のブレークダウン後の第１の期間では、第１の周期で上記ランプ電流の向きを切り換えさせ、上記第１の期間以降の第２の期間では、上記第１の周期より短い第２の周期で上記ランプ電流の向きを切り換えさせる制御手段と、
を備えることを特徴とする高圧放電灯点灯装置。
【請求項２】
ブレークダウン後の第１の期間としての発光促進制御期間において上記高圧放電灯のランプ電流が所定の電流値以下となったか否かを判定する判定手段を備え、
前記制御手段は、上記判定手段により前記高圧放電灯のランプ電流が所定の電流値以下となったと判定されると、前記ランプ電流の向きの切換周期を、前記第１の周期から前記第２の周期へ変更すること、
を特徴とする請求項１記載の高圧放電灯点灯装置。
【請求項３】
前記制御手段は、前記ランプ電流の向きの切換周期を前記第１の周期から前記第２の周期へ変更する際に、前記第１の周期から徐々に短くしていき前記第２の周期とすることを特徴とする請求項１または請求項２記載の高圧放電灯点灯装置。
【発明の詳細な説明】
【技術分野】
【０００１】
本発明は、高圧放電灯点灯装置に関するものである。
【背景技術】
【０００２】
従来から高圧放電灯の点灯装置が開発されている。特に近年、車載用のランプとして、高圧放電灯の一種である高輝度放電灯（ＨＩＤランプ）が使用される機会が増えている。
【０００３】
このような高圧放電灯では、点灯時にランプ内で放電を発生させる必要があるため、点灯装置が必要となる。そのため、従来から高圧放電灯点灯装置が種々提案されている（例えば特許文献１参照）。ＨＩＤランプを始動させる場合、通常、点灯装置は、まず、イグナイタで高電圧（例えば２０キロボルト）を高圧放電灯に印加して絶縁破壊（ブレークダウン）させアーク放電を発生させた後、定格電力以上の電力を高圧放電灯に供給して短時間でランプ温度を上昇させるウォームアップ制御を行い、その後、定格電力制御に移行させる。
【０００４】
なお、欧州の規格ＥＣＥなどでは、ウォームアップ制御時について、ランプ電力は７５ワット以下、ランプ電流は２．６アンペア以下とされ、始動後４秒で定格出力時の８０％の光量が要求される。
【０００５】
ＨＩＤランプの点灯方式としては、高周波正弦波による高周波点灯方式、直流点灯方式、低周波矩形波による低周波矩形波点灯方式などがある。ＨＩＤランプでは、音響的共鳴現象が１０キロヘルツオーダーの周波数領域で発生するため、高周波点灯方式では、数１００キロヘルツ〜数メガヘルツの周波数領域が使用され、低周波矩形波点灯方式では、数１００ヘルツ〜数キロヘルツの周波数領域が使用される。
【０００６】
【特許文献１】特開平７−１７６３８８号公報（要約、明細書）
【発明の開示】
【発明が解決しようとする課題】
【０００７】
点灯初期ではランプ温度を早く上昇させランプの光量を早く上昇させつつ、定格出力状態へ移行することが望まれる。点灯初期のランプ電力やランプ電流には、欧州規格ＥＣＥ９９などの規制があり、単純に点灯初期のランプ電力やランプ電流を増加させることは難しい。
【０００８】
特に、低周波矩形波点灯方式では、ランプ電圧・ランプ電流の向きが変わる際、ランプ電流の絶対値およびランプ電力が一時的に低下するため、その分、ランプ温度の上昇が遅くなっている。図６は、低周波矩形波点灯方式の高圧放電灯点灯装置によるランプ電圧およびランプ電流の一例を示す図である。図６では、交番周波数が４００ヘルツである場合の、点灯初期の最大定格電力制御期間でのランプ電圧、およびランプ電流の絶対値の時間的変化が示されている。この期間では、ランプ電流が最大電流Ｉｍａｘ（２．６アンペア）程度となるため、図６に示すように、ランプ電圧の交番に起因してランプ電流が交番するタイミングで、ランプ電流の絶対値は、大きく減少する。
【０００９】
低周波矩形波点灯方式での交番周波数は、上述の音響的共鳴現象の他、ＨＩＤランプの電極の消耗などを考慮して、例えば４００ヘルツなどに決定され、ブレークダウン後から定格電力時まで一定のままとされる。
【００１０】
本発明は、点灯初期にランプ温度および光量を早く上昇させることができる高圧放電灯点灯装置を得ることを目的とする。
【課題を解決するための手段】
【００１１】
上記の課題を解決するために、本発明では以下のようにした。
【００１２】
本発明に係る高圧放電灯点灯装置は、低周波矩形波点灯方式で高圧放電灯にランプ電流を供給するとともに、高圧放電灯に流れるランプ電流の向きを切り換えるランプ電流供給手段と、ランプ電流供給手段を制御し、高圧放電灯のブレークダウン後の第１の期間では、第１の周期でランプ電流の向きを切り換えさせ、第１の期間以降の第２の期間では、第１の周期より短い第２の周期でランプ電流の向きを切り換えさせる制御手段とを備える。
【００１３】
これにより、点灯初期において、ランプ電流の向きの切り換えに起因して発生するランプ電力の一時的低下の回数を減らすことができ、点灯初期にランプ温度および光量を早く上昇させることができる。
【００１４】
さらに、本発明に係る高圧放電灯点灯装置は、上記高圧放電灯点灯装置に加え、ブレークダウン後の第１の期間としての発光促進制御期間において高圧放電灯のランプ電流が所定の電流値以下となったか否かを判定する判定手段を備えるようにしてもよい。その場合、制御手段は、判定手段により高圧放電灯のランプ電流が所定の電流値以下となったと判定されると、ランプ電流の向きの切換周期を、第１の周期から前記第２の周期へ変更する。
【００１５】
これにより、ランプ電流の向きの切り換えに起因して発生するランプ電力の一時的低下の回数を減らすことができ、点灯初期にランプ温度を早く上昇させることができる。さらに、点灯初期のランプ電流の高い期間のみ、ランプ電流の向きの切換周期を長くしているため、効果的に、点灯初期にランプ温度を上昇させることができるとともに、高圧放電灯の電極の消耗の促進を抑制することができる。
【００１６】
さらに、本発明に係る高圧放電灯点灯装置は、上記高圧放電灯点灯装置のいずれかに加え、制御手段を次のようにしてもよい。つまり、制御手段は、ランプ電流の向きの切換周期を第１の周期から第２の周期へ変更する際に、第１の周期から徐々に短くしていき第２の周期とする。
【００１７】
これにより、点灯初期のランプ温度の効果的な上昇を維持しつつ、高圧放電灯の電極の消耗促進をより抑制することができる。
【発明の効果】
【００１８】
本発明によれば、点灯初期にランプ温度および光量を早く上昇させる高圧放電灯点灯装置を得ることができる。
【発明を実施するための最良の形態】
【００１９】
以下、図に基づいて本発明の実施の形態を説明する。
【００２０】
図１は、本発明の実施の形態に係る高圧放電灯点灯装置の構成を示す回路図である。図１において、ＤＣ／ＤＣコンバータ１は、直流電源２の電圧を昇圧し出力する回路である。ＤＣ／ＤＣコンバータ１は、昇圧用のトランス１１、トランス１１の１次巻線に対して直列に接続されたスイッチング素子１２、およびトランス１１の２次巻線に接続された整流回路としてのダイオード１３を有する。なお、このスイッチング素子１２は、Ｎ型の電界効果トランジスタ（ＦＥＴ）であるが、バイポーラトランジスタを用いるようにしてもよい。また、トランス１１の２次側の整流回路は他の整流回路としてもよいしコンデンサなどの平滑回路を設けてもよい。
【００２１】
また、直流電源２は、商用交流電源から直流電源を生成する電源装置、バッテリなどといった直流電圧を発生する装置である。電源スイッチ２ａは、ＤＣ／ＤＣコンバータ１と直流電源２との間に設けられたスイッチである。
【００２２】
また、フルブリッジ回路３は、ＤＣ／ＤＣコンバータ１により昇圧された直流電圧から矩形波を生成し高圧放電灯５に印加する回路である。フルブリッジ回路３では、２つのスイッチング素子（２１，２２），（２３，２４）のソース・ドレイン（またはコレクタ・エミッタ）が直列に接続され、２組の２つのスイッチング素子（２１，２２），（２３，２４）が並列に接続されている。そして、スイッチング素子２１とスイッチング素子２２の接続点と、スイッチング素子２３とスイッチング素子２４の接続点との間に、イグナイタ４と高圧放電灯５の直列回路が接続される。なお、このスイッチング素子２１〜２４は、Ｎ型の電界効果トランジスタ（ＦＥＴ）であるが、バイポーラトランジスタを用いるようにしてもよい。スイッチング素子２１，２４には同一のゲート信号が供給され、スイッチング素子２２，２３には同一のゲート信号であってスイッチング素子２１，２４のゲート信号とは逆相のゲート信号が供給される。
【００２３】
なお、フルブリッジ回路３は、低周波矩形波点灯方式で高圧放電灯にランプ電流を供給するとともに、高圧放電灯に流れるランプ電流の向きを切り換えるランプ電流供給手段として機能する。
【００２４】
また、イグナイタ４は、高圧放電灯５へ始動電圧を印加する回路である。イグナイタ４では、昇圧トランス３１の２次巻線が高圧放電灯５に直列に接続され、昇圧トランス３１の１次巻線には高電圧パルス発生回路３２が接続される。
【００２５】
高圧放電灯５は、メタルハライドランプなどの放電ランプである。高圧放電灯５は、高電圧を印加されると電極間でアーク放電を生成し、その後の継続的な電力供給により発光を持続する。高圧放電灯５は、例えばＨＩＤランプなどとされる。
【００２６】
また、駆動回路６は、ＤＣ／ＤＣコンバータ１のスイッチング素子１２のゲートへ制御信号を供給してＤＣ／ＤＣコンバータ１を駆動する回路である。駆動回路６は、制御部８からの制御信号をパルス幅変調（ＰＷＭ）してスイッチング素子１２のゲート信号を生成する。つまり、駆動回路６は、制御部８からの制御信号のレベルに応じて、スイッチング素子１２へのゲート信号のデューティ比を変化させて、ＤＣ／ＤＣコンバータ１の２次側出力を調整する。
【００２７】
また、検出部７は、ＤＣ／ＤＣコンバータ１からフルブリッジ回路３を介して高圧放電灯５に流れるランプ電流を検出するとともに、フルブリッジ回路３（およびイグナイタ４）を介して高圧放電灯５に印加されるランプ電圧を検出する回路である。なお、検出部７によるランプ電流の検出値は、電流検出用抵抗７ａでのドロップ電圧から得られる。また、検出部７は、ＤＣ／ＤＣコンバータ１とフルブリッジ回路３との間でランプ電圧を検出するため、スイッチング素子２１，２４（２２，２３）のソース・ドレイン間電圧などの電圧降下分を補正した電圧値をランプ電圧の検出値とする。
【００２８】
また、制御部８は、始動時、ウォームアップ制御時および定常電圧状態（なお、定常電圧とは定格電力点灯時のランプ電圧とする）において、ＤＣ／ＤＣコンバータ１、フルブリッジ回路３を制御する回路または装置である。例えば、制御部８は、後述の機能を記述したプログラムを不揮発性メモリに格納したＩ／Ｏポート付きのマイクロプロセッサにより実現される。制御部８は、始動から消灯までフルブリッジ回路３のスイッチング素子２１〜２４のためのゲート信号を供給する機能、ＤＣ／ＤＣコンバータ１を駆動する駆動回路６へ制御信号を供給する機能などを有する。
【００２９】
制御部８は、フルブリッジ回路３のスイッチング素子２１，２４のゲート信号として、高圧放電灯５の制御状態に応じた周波数の第１の矩形波信号を生成し、フルブリッジ回路３のスイッチング素子２２，２３のゲート信号として、第１の矩形波信号と同一の周波数で逆相の第２の矩形波信号を生成する。
【００３０】
なお、制御部８は、フルブリッジ回路３を制御し、高圧放電灯５のブレークダウン後の第１の期間（この実施の形態では、最大定格電力制御期間）では、第１の周期（この実施の形態では、２．５ミリ秒）でランプ電流の向きを切り換えさせ、第１の期間以降の第２の期間（この実施の形態では、供給電力減少制御期間および定格電力制御期間）では、第１の周期より短い第２の周期（この実施の形態では、１．２５ミリ秒）でランプ電流の向きを切り換えさせる制御手段として機能する。電流の周期は、絶対値で見ているため、電圧の周期の半分となる。
【００３１】
次に、上記装置の動作について説明する。図２は、本発明の実施の形態に係る高圧放電灯点灯装置の動作を説明するフローチャートである。図３は、本発明の実施の形態に係る高圧放電灯点灯装置による始動時のランプ電流およびランプ電圧およびランプ電流（矩形波）の周波数の時間的推移を示す図である。
【００３２】
始動時において、イグナイタ４の昇圧トランス３１の２次側に誘起した高圧パルスが高圧放電灯５に印加され、高圧放電灯５にブレークダウン（絶縁破壊）が発生する。制御部８は、検出部７により検出されるランプ電圧／ランプ電流に基づいて、高圧放電灯５のブレークダウンを検出すると（ステップＳ１、図３の時刻０）、最大定格電力制御（発光促進制御）に移行する（ステップＳ２）。
【００３３】
最大定格電力制御では、制御部８は、検出部７により検出されるランプ電圧／ランプ電流に応じてスイッチング素子１２のデューティ比を変化させて、ランプ電力を所定の最大電力値（７５ワット）とする。さらに、この最大定格電力制御時には、制御部８は、フルブリッジ回路３のスイッチング素子２１〜２４のゲート信号として使用される矩形波信号の周波数を定格電力時の周波数ｆｃより低い周波数ｆＬで生成し、スイッチング素子２１〜２４を、定格電力時より低い周波数でオン／オフさせる。つまり、スイッチング素子２１〜２４のゲート信号として使用される矩形波信号の周期は、最大定格電力制御時には、定格電力時より長く設定される。
【００３４】
この実施の形態では、スイッチング素子２１〜２４のゲート信号の周波数は、最大定格電力制御時では２００ヘルツ（定格出力制御時の２分の１）とされ、定格出力制御時では４００ヘルツとされる。
【００３５】
最大定格電力制御の開始後、ランプ供給電力を７５ワットに設定し、かつ、最大ランプ電流を２．６アンペアに制限することにより、図３に示すように、ランプ電流は、ランプ電圧の上昇に伴い低下してくる。制御部８は、最大定格電力制御開始後、ランプ電流が所定の電流値Ｉｇ（＜Ｉｍａｘ，Ｉｍａｘ＝２．６アンペア）以下となったか否かを監視する（ステップＳ３）。そして、制御部８は、ランプ電流が所定の電流値Ｉｇ以下になると、所定のパターンでスイッチング素子１２のデューティ比を変化させて、ランプ電力を、７５ワットから定格電力である３５ワットへ時間とともに徐々に減少させる制御（供給電力減少制御）を開始する（ステップＳ４）。供給電力減少制御時には、制御部８は、フルブリッジ回路３のスイッチング素子２１〜２４のゲート信号として使用される矩形波信号の周波数を定格電力時の周波数ｆｃと同一の周波数で生成し、スイッチング素子２１〜２４を、定格電力時と同一の周波数でオン／オフさせる。この実施の形態では、供給電力減少制御時の、スイッチング素子２１〜２４のゲート信号周波数は、４００ヘルツとされる。
【００３６】
その後、制御部８は、ランプ電力が定格電力に略到達すると、定格電力制御に移行し、ランプ電力を定格電力とする定電力制御で、高圧放電灯５を駆動する（ステップＳ５）。定格電力制御時には、制御部８は、フルブリッジ回路３のスイッチング素子２１〜２４のゲート信号として使用される矩形波信号の周波数を所定の周波数ｆｃで生成し、スイッチング素子２１〜２４をその周波数ｆｃでオン／オフさせる。この実施の形態では、定格電力制御時の、スイッチング素子２１〜２４のゲート信号の周波数ｆｃは、４００ヘルツとされる。
【００３７】
このように、この実施の形態では、最大定格電力制御の期間では、フルブリッジ回路３のスイッチング素子２１〜２４のゲート信号の周波数、ひいてはランプ電圧やランプ電流の周波数は、定格電力時の周波数ｆｃより低い周波数ｆＬとされ、それに続く供給電力減少制御および定格電力制御の期間では、スイッチング素子２１〜２４のゲート信号の周波数、ひいてはランプ電圧やランプ電流の周波数は、定格電力時の周波数ｆｃとされる。つまり、ランプ電圧およびランプ電流の周期は、最大定格電力制御期間では長くなり、それ以降の期間では短くなる。
【００３８】
ＥＣＥ９９規格では始動から４秒後の光量が規定されており、発光を最大限促進する最大定格電力制御時の期間は、４秒程度続く。通常、定格電力制御の期間は、ウォームアップ制御時の期間より長いため、まず、定格電力制御の期間でのランプ電圧の周波数ｆｃが、高周波領域での音響的共鳴現象、低周波領域での高圧放電灯５の電極消耗などの観点から決定され、最大定格電力制御の期間でのランプ電圧の周波数ｆＬが、定格電力制御時の周波数ｆｃに比べて所定の割合（例えば、１／２、１／４など）だけ低く決定される。ランプ電流の周波数が２００ヘルツより小さいと、電極の消耗が早くなる可能性があり、ランプ電流の周波数が１キロヘルツを超えると、音響的共鳴現象が発生する可能性があるため、定格出力制御時の周波数ｆｃを１ｋＨｚ＞ｆｃ≧４００Ｈｚとし、最大定格電力制御時の周波数ｆＬを４００Ｈｚ＞ｆＬ≧２００Ｈｚとするのが好ましい。この実施の形態では、周波数ｆｃは４００ヘルツとされ、周波数ｆＬは２００ヘルツとされる。
【００３９】
図４は、本発明の実施の形態における最大定格電力制御時のランプ電圧およびランプ電流（絶対値）の波形の一例を示す図であり、図５は、本発明の実施の形態における定格電力制御時のランプ電圧およびランプ電流（絶対値）の波形の一例を示す図である。
【００４０】
最大定格電力制御時には、図４に示すように、ランプ電圧およびランプ電流が周波数ｆＬ（ここでは、２００ヘルツ）で交番するため、１／（２×ｆＬ）秒（ここでは、２．５ミリ秒）ごとに、ランプ電流の絶対値（ひいてはランプ電力）が大きく落ち込む。
【００４１】
他方、定格電力制御には、図５に示すように、ランプ電圧およびランプ電流が周波数ｆｃ（ここでは、４００ヘルツ）で交番するため、１／（２×ｆｃ）秒（ここでは、１．２５ミリ秒）ごとに、ランプ電流の絶対値（ひいてはランプ電力）が落ち込む。
【００４２】
最大定格電力制御時ではランプ電流は略最大値Ｉｍａｘ（＝２．６アンペア）となるため、ランプ電流の絶対値（ランプ電力）は、ランプ電圧の交番タイミングで大きく落ち込む。一方、定格電力制御ではランプ電流は最大値Ｉｍａｘの６〜８分の１程度（ここでは、０．４アンペア程度）となるため、ランプ電流の絶対値（ランプ電力）の落ち込み量は少ない。
【００４３】
従来（図６）では、始動時から定格出力時まで矩形波のランプ電圧周波数が一定（ｆｃ）とされるが、この実施の形態では、最大定格電力制御時の周波数ｆＬを定格出力時の周波数ｆｃより低くしているため、最大定格電力制御時での、ランプ電圧の交番によるランプ電流絶対値（ランプ電力）の落ち込み回数が減り、その分、最大定格電力制御時の平均ランプ電力が高くなり、ランプ温度の上昇が早くなる。特に、ランプ電流の高い期間ではランプ電流絶対値（ランプ電力）の落ち込みが大きいため、その期間におけるランプ電圧およびランプ電流の周波数を低くすることは、効果的である。
【００４４】
以上のように、上記実施の形態によれば、制御部８は、フルブリッジ回路３を制御し、高圧放電灯５のブレークダウン後の最大定格電力制御期間では、第１の周期でランプ電流の向きを切り換えさせ、供給電力減少制御期間および定格電力制御期間では、第１の周期より短い第２の周期でランプ電流の向きを切り換えさせる。
【００４５】
これにより、点灯初期において、ランプ電流の向きを切り換えに起因して発生するランプ電力の一時的低下の回数を減らすことができ、点灯初期にランプ温度および光量を早く上昇させることができる。
【００４６】
さらに、上記実施の形態によれば、制御部８は、ブレークダウン後の第１の期間としての発光促進制御期間において、高圧放電灯５のランプ電流が所定の電流値以下となったと判定すると、ランプ電流の向きの切換周期を、第１の周期から第２の周期へ変更する。
【００４７】
これにより、点灯初期のランプ電流の高い期間のみ、ランプ電流の向きの切換周期を長くしているため、効果的に、点灯初期にランプ温度を上昇させることができるとともに、高圧放電灯の電極の消耗の促進を抑制することができる。
【００４８】
なお、上述の実施の形態は、本発明の好適な例であるが、本発明は、これらに限定されるものではなく、本発明の要旨を逸脱しない範囲において、種々の変形、変更が可能である。
【００４９】
例えば、上述の実施の形態において、制御部８は、ランプ電圧／ランプ電流の周波数、つまりフルブリッジ回路３のスイッチング素子２１〜２４のゲート信号の周波数を、ウォームアップ制御時の周波数ｆＬから定格出力時の周波数ｆｃへ変更する際に、時間経過とともに徐々に高くしていくようにしてもよい。つまり、その際には、ランプ電圧／ランプ電流の周期、すなわちフルブリッジ回路３のスイッチング素子２１〜２４のゲート信号の周期は、徐々に短くなっていく。このようにすることで、点灯初期のランプ温度の効果的な上昇を維持しつつ、高圧放電灯の電極の消耗促進をより抑制することができる。
【００５０】
また、その場合、供給電力減少制御期間において、制御部８は、ランプ電圧／ランプ電流の周波数、つまりフルブリッジ回路３のスイッチング素子２１〜２４のゲート信号の周波数を、ランプ電力の減少に応じて、徐々に高くしていくようにしてもよい。
【００５１】
また、その場合、制御部８は、ランプ電圧／ランプ電流の周波数、つまりフルブリッジ回路３のスイッチング素子２１〜２４のゲート信号の周波数を、２段以上の複数段階で、あるいは、所定の滑らなパターン（関数）で、徐々に高くしていくようにしてもよい。
【００５２】
なお、上述の実施の形態では、ランプ電圧／ランプ電流の周波数、つまりフルブリッジ回路３のスイッチング素子２１〜２４のゲート信号の周波数の切り換えを、ランプ電流が所定の値Ｉｇ以下となったタイミングで行っているが、その代わりに、ランプ電圧が所定値となったタイミングとしたり、あるいはブレークダウンから所定の時間経過後のタイミングとしたり、供給電力減少制御の開始から所定の時間経過後のタイミングとしたりしてもよい。
【産業上の利用可能性】
【００５３】
本発明は、例えば、車載用ＨＩＤランプの点灯回路に適用可能である。
【図面の簡単な説明】
【００５４】
【図１】本発明の実施の形態に係る高圧放電灯点灯装置の構成を示す回路図である。
【図２】本発明の実施の形態に係る高圧放電灯点灯装置の動作を説明するフローチャートである。
【図３】本発明の実施の形態に係る高圧放電灯点灯装置による始動時のランプ電流およびランプ電圧およびランプ電流（矩形波）の周波数の時間的推移を示す図である。
【図４】本発明の実施の形態におけるウォームアップ制御時のランプ電圧およびランプ電流（絶対値）の波形の一例を示す図である。
【図５】本発明の実施の形態における定格電力制御時のランプ電圧およびランプ電流（絶対値）の波形の一例を示す図である。
【図６】低周波矩形波点灯方式の高圧放電灯点灯装置によるランプ電圧およびランプ電流の一例を示す図である。
【符号の説明】
【００５５】
３  フルブリッジ回路（ランプ電流供給手段）
８  制御部（制御手段，判定手段）
【図１】
2006156168.tif 000003
【図２】
2006156168.tif 000004
【図３】
2006156168.tif 000005
【図４】
2006156168.tif 000006
【図５】
2006156168.tif 000007
【図６】
2006156168.tif 000008